(57)【特許請求の範囲】
【請求項１】
送風機と、光源を含む照明部とを備えた、照明器具であって、
前記送風機の少なくとも一部は、前記照明部の中心部に形成された空間に配置され、
前記送風機よりも上方から前記空間に空気を導入させる吸込部と、前記送風機の下方に配置され、且つ、前記空間の外部に空気を導出させる吹出部とを有する流路形成部が形成され、
前記流路形成部の前記吹出部は、前記空間に連続し且つ前記空間の下方に位置する吹出口を有し、
前記吹出部を形成するカバー部材をさらに備え、
前記カバー部材において、前記吸込部から前記空間に導入された空気に触れる部分には、溝が形成されており、
当該照明器具は、室内の天井に設けられたローゼットを介して前記天井に設置される
照明器具。
【請求項２】
送風機と、光源を含む照明部とを備えた、照明器具であって、
前記送風機の少なくとも一部は、前記照明部の中心部に形成された空間に配置され、
前記送風機よりも上方から前記空間に空気を導入させる吸込部と、前記送風機の下方に配置され、且つ、前記空間の外部に空気を導出させる吹出部とを有する流路形成部が形成され、
前記流路形成部の前記吹出部は、前記空間に連続し且つ前記空間の下方に位置する吹出口を有し、
前記吹出部を形成するカバー部材をさらに備え、
前記カバー部材は、前記吸込部から前記空間に導入された空気に含まれる塵埃を捕捉する溝を有し、
当該照明器具は、室内の天井に設けられたローゼットを介して前記天井に設置される
照明器具。
【請求項３】
前記溝は複数形成されている
請求項１又は２に記載の照明器具。
【請求項４】
各溝の形状は同一である
請求項３に記載の照明器具。
【請求項５】
隣り合う二つの溝の間隔は等間隔である
請求項３又は４に記載の照明器具。
【発明の詳細な説明】
【技術分野】
【０００１】
本発明は、一般的には照明器具に関し、特定的には、室内等の空間において天井と床面との間を循環する気流を発生させる送風機を備えた照明器具に関する。
【背景技術】
【０００２】
室内等の空間における空気を調和させる空気調和機の作動によって、温度分布のむらが室内に発生することが一般的に知られている。すなわち、空気調和機が冷房運転を行う場合には、床面近傍に冷気が溜まり易く、天井近傍に冷気は溜まり難い。一方、空気調和機が暖房運転を行う場合には、床面近傍には暖気が溜まり難く、天井近傍に暖気が溜まり易い。
【０００３】
このような温度分布の発生を防止するために、扇風機またはサーキュレータを空気調和機とともに使用することが普及している。しかしながら、扇風機またはサーキュレータが使用される多くの場合には、扇風機またはサーキュレータが室内の隅に配置される。そのため、扇風機またはサーキュレータによって、室内全体において特に天井と床面との間を循環するような気流を発生させることは困難である。
【０００４】
一方、１００ｃｍを超えるような直径を有する一般的なシーリングファンを天井に設置し、シーリングファンの作動によって、室内全体を循環する気流を発生させることが可能である。しかしながら、室内の天井の高さが比較的低い場合等、シーリングファンが設置される室内の大きさによっては、当該シーリングファンが居住者に対する障害物となり得る。一方、室内等の空間に気流を発生させる送風機を備えた照明器具が提案されている。
【０００５】
送風機を備えた照明器具として、例えば、特許第３９９１５７５号公報（以下、特許文献１という）に記載された循環送風機と、特開２０１０−２４３０２８号公報（以下、特許文献２という）に記載された照明付サーキュレータと、特開２０１２−６９３４０号公報（以下、特許文献３という）に記載された空調照明器具とが知られている。
【０００６】
特許文献１に記載された循環送風機においては、照明器本体の上方に送風機としての遠心ファンが配置されている。このように、室内等の空間に気流を発生させる送風装置としての遠心ファンが、照明器本体に対してコンパクトに配置されている。遠心ファンの回転によって、室内の中央部の空気が吸込口に吸い込まれる。吸込口は、照明器本体の上方且つ遠心ファンの外周に位置する。吸込口から遠心ファンの周囲には、略水平方向に沿って空気が吸い込まれる。
【０００７】
吸い込まれた空気は、遠心ファンの外周のうちの吸込口と異なる位置に位置する吹出口から吹き出される。空気は、遠心ファンの周囲から吹出口の外部に、水平方向よりも若干斜め下方に向かって吹き出される。
【０００８】
特許文献２に記載された照明付サーキュレータにおいては、複数のクロスローファンが照明部に隣接して配置されている。このように、特許文献２に記載された照明付サーキュレータにおいては、複数のクロスフローファンの作動によって、室内の全体を循環する気流を発生させることができる。
【０００９】
特許文献３に記載された空調照明器具においては、照明具の中心にファンが配置されている。このように、室内等の空間に気流を発生させる送風機としてのファンが、照明具にコンパクトに配置されている。特許文献３に記載された空調照明器具においては、ファンの回転によって、ファンの外周に配置された照明具を冷却することができる。これにより、照明具の熱劣化を低減している。
【先行技術文献】
【特許文献】
【００１０】
【特許文献１】特許第３９９１５７５号公報
【特許文献２】特開２０１０−２４３０２８号公報
【特許文献３】特開２０１２−６９３４０号公報
【発明の概要】
【発明が解決しようとする課題】
【００１１】
特許文献１に記載の循環送風機において、略水平方向に沿って遠心ファンの周囲に吸い込まれた空気は、遠心ファンの周囲から略水平方向に吹き出される。そのため、遠心ファンによって発生する気流は、略鉛直方向の成分を殆ど有していないため、室内の天井と床面との間を循環する程度に十分に往復しない。すなわち、遠心ファンの通常の作動によって、十分なサーキュレーション効果を得ることはできないと考えられる。
【００１２】
特許文献２に記載の照明付サーキュレータにおいては、室内の全体を循環する気流を発生させるために、複数のクロスフローファンを照明部に隣接して設置する必要がある。また、特許文献２に記載の照明付サーキュレータは、複数のクロスフローファンが照明部の外部に配置されているため、クロスフローファンが照明部にコンパクトに配置されたものではない。
【００１３】
特許文献３に記載された空調照明器具におけるファンは、照明具を冷却する目的で照明具の中心に配置されたものであって、室内等の空間を循環する気流を発生させるためのものではない。つまり、特許文献３に記載された空調照明器具は、ファンの作動によって発生する気流が、室内を流通するように設計されたものではない。特許文献３に記載された空調照明器具においては、ファンに吸引される空気の通路に、照明具が配置されている。ファンの作動によって発生する気流は、ファンと照明具との間を循環するだけである。
【００１４】
そこで、本発明の目的は、送風機をコンパクトに配置することが可能であるとともに、室内等の空間の全体を循環する気流を発生させることが可能な照明器具を提供することである。
【課題を解決するための手段】
【００１５】
本発明に従った照明器具は、送風機と、光源を含む照明部とを備える。送風機の少なくとも一部は、照明部の中心部に形成された空間に配置される。当該照明器具には、流路形成部が形成されている。流路形成部は、吸込部と吹出部とを有する。吸込部は、送風機よりも上方から空間に空気を導入させる。吹出部は、送風機の下方に配置され、且つ、空間の外部に空気を導出させる。
【００１６】
本発明に従った照明器具においては、送風機の少なくとも一部が、照明部の中心部に形成された空間に配置される。流路形成部の吹出部は、空間に連続し且つ空間の下方に位置する吹出口を有する。
【００１７】
本発明に従った照明器具は、室内の天井に設けられたローゼットを介して天井に設置される。照明部の上端と当該照明器具の上端との間の高さと、天井から突出するローゼットの突出高さとの和Ｌ、および、吹出口の直径ｄの間には、０．１ｄ＜Ｌ＜０．７ｄの関係が成り立つ。
【００１８】
本発明に従った照明器具によれば、送風機の少なくとも一部が照明部の中心部に形成された空間に配置されるため、送風機を当該照明器具にコンパクトに配置することができる。また、本発明に従った照明器具においては、送風機の作動によって発生する気流を、流路形成部における吸込部と吹出部とによって、略鉛直方向に移動させることができる。室内等の空間において略鉛直方向に移動する気流は、天井と床面との間を循環することができる。このように、本発明に従った照明器具は、室内等の空間の全体を循環する気流を発生させることが可能である。
【００１９】
また、本発明に従った照明器具によれば、必要十分な風量効率を得ることが可能な程度に、流路形成部において空気の吸込量を稼ぐことができる。つまり、本発明に従った照明器具は、流路形成部における吸込部から、室内の全体において十分なサーキュレーション効果を得るために必要な流量の空気を効率的に吸い込むことができる。
【００２０】
このようにすることにより、送風機をコンパクトに配置することが可能であるとともに、室内等の空間の全体を循環する気流を発生させることが可能な照明器具を提供することができる。
【発明の効果】
【００２１】
以上のように、本発明によれば、送風機をコンパクトに配置することが可能であるとともに、室内等の空間の全体を循環する気流を発生させることが可能な照明器具を提供することができる。
【図面の簡単な説明】
【００２２】
【図１】本発明に従った照明器具を概略的に示す縦断面図である。
【図２】本発明に従った照明器具における吹出口を開放するカバー部材の羽根を概略的に示す縦断面図である。
【図３】本発明に従った照明器具における吹出口を閉塞するカバー部材の羽根を概略的に示す縦断面図である。
【図４】本発明に従った照明器具におけるカバー部材に形成された溝を概略的に示すカバー部材の縦断面図である。
【図５】本発明に従った照明器具の制御関連を示す制御ブロック図である。
【図６】本発明に従った照明器具の一部断面図であって、室内等の空間を循環する気流を概略的に示す図である。
【図７】本発明に従った照明器具の一部断面図であって、当該照明器具における照明部の上端と当該照明器具の上端との間の高さＨと、ローゼットの突出高さＴとの和Ｌ、および、吹出口の直径ｄを示す図である。
【図８】実施例の実験例１において得られるデータを示すグラフである。
【図９】実施例の実験例２において得られるデータを示すグラフである。
【発明を実施するための形態】
【００２３】
以下、本発明の実施の形態を図面に基づいて説明する。
【００２４】
図１に、本発明に従った照明器具の一例である照明器具１を示す。図１に示すように、照明器具１は、送風機６０と、照明部８とを備えている。照明器具１は、室内の天井に設けられたローゼット２０を介して天井に設置される。照明器具１は、筐体１２を備えている。筐体１２は、略水平方向に延びる頂壁１２ａと、頂壁１２ａの下方において略水平方向に延びる隔壁１２ｂと、隔壁１２ｂよりも下方において照明部８を吊るすための複数の棒状の吊部１１とを有する。筐体１２において、頂壁１２ａと隔壁１２ｂとの間には、略円柱形状を有する周壁１２ｅが形成されている。ローゼット２０に接続するアダプタ２は、筐体１２の頂壁１２ａに固定されている。
【００２５】
筐体１２において、周壁１２ｅと頂壁１２ａと隔壁１２ｂとによって囲まれる空間１２ｄには、図示しない電気部品および制御基板等が収容されている。電気部品とアダプタ２との間に延びる配線等も、空間１２ｄに配置されている。隔壁１２ｂの下方において、隔壁１２ｂと後述するファンカバー１０とによって囲まれる（または挟まれる）空間１２ｃに、送風機６０が配置される。空間１２ｃは、吊部１１の周囲（言い換えると、隔壁１２ｂの下方において吊部１１が占める部分を除いた開口部分）を介して照明部８の周辺の空間と連続する。また、空間１２ｃには、イオン発生器５０が配置されている。イオン発生器５０は、隔壁１２ｂの下面に取り付けられる。
【００２６】
送風機６０は、筐体１２に収容される。送風機６０の数は一である。送風機６０と筐体１２とは一体でなく、筐体１２に送風機６０が取り付けられることによって、送風機６０が筐体１２および照明部８に対して固定される。送風機６０は、駆動部としてのモータ５と、羽根部６と、モータ５の軸５ａと羽根部６とを固定するスピンナー７とを有する。隔壁１２ｂに固定された接続部４に、軸５ａを含むモータ５が連結されることによって、送風機６０が空間１２ｃに配置される。
【００２７】
室内を循環するために十分な流量の気流を発生させるために、羽根部６の直径は、例えば３００ｍｍ以上であることが望ましい。モータ５および軸５ａは、正回転と逆回転とが可能であるように構成されている。なお、図１においては、アダプタ２と接続部４と送風機６０とイオン発生器５０との各内部の構成を省略して示す。
【００２８】
照明部８は、吊部１１のうちの接続部９に固定される。照明部８の側面には、当該側面から空間８ｃに向かって突出する突起部８２が形成されている。突起部８２には磁石９８が設置される。吊部１１の下端には、磁石９１１が設置される。接続部９は、磁石９８，９１１を介して吊部１１と照明部８とを接続する。照明部８は、それぞれ図示しない、光源としての発光ダイオードと、発光ダイオードが取り付けられた基板と、反射シートと、光を拡散させるカバー部材とを含む。接続部９には、ファンカバー１０が取り付けられる。ファンカバー１０は、送風機６０の下方に配置される。
【００２９】
照明部８は、略円環形状を有している。照明部８は、上面８ｂを有している。照明部８の上端８ａは、上面８ｂに位置する。また、照明部８の中心部には、空間８ｃが形成される。隔壁１２ｂの下方においては、空間８ｃが空間１２ｃに含まれる。送風機６０の羽根部６とスピンナー７とは、空間８ｃに配置される。このように、送風機６０の少なくとも一部は、空間８ｃに配置される。
【００３０】
隣り合う二つの吊部１１の隙間、つまり、隔壁１２ｂの下方において吊部１１が占める部分を除いた開口部分は、送風機６０よりも上方から空間１２ｃに空気を導入させる吸入口である。あるいは、隔壁１２ｂの下方において吊部１１が占める部分を除いた開口部分は、送風機６０よりも上方に空間１２ｃから空気を導出させる吹出口である。モータ５が正回転する場合には、当該開口部分が第１の流路形成部の上部吸入部として機能する。一方、モータ５が逆回転する場合に、当該開口部分が第２の流路形成部の上部吹出部として機能する。
【００３１】
ファンカバー１０には、鉛直下方に面する開口１４が形成されている。開口１４は、空間８ｃに連続し且つ空間８ｃの下方に位置する。開口１４は、空間１２ｃの外部に空気を導出させる吹出口である。あるいは、開口１４は、空間１２ｃに空気を導入させる吸込口である。モータ５が正回転する場合には、開口１４は、第１の流路形成部の下部吹出部として機能する。一方、モータ５が逆回転する場合に、開口１４は、第２の流路形成部の下部吸込部として機能する。
【００３２】
このように、ファンカバー１０は、下部吹出部または下部吸込部を形成する。また、照明部８の上面８ｂと筐体１２とに挟まれた空間は、上部吸込部または上部吹出部を形成する。流路形成部としての第１の流路形成部の一例は、照明部８の上面８ｂと筐体１２とファンカバー１０とを含む。モータ５が正回転する場合に送風機６０によって送出される気流は、開口１４を通って空間１２ｃから下方に流出する。室内の床面で反射する気流は、天井に向かって上方に移動する。天井付近に到達した気流は、照明部８の上面８ｂに沿って空間１２ｃの内部に流入する。
【００３３】
第２の流路形成部の一例は、照明部８の上面８ｂと筐体１２とファンカバー１０とを含む。モータ５が逆回転する場合に送風機６０によって送出される気流は、隔壁１２ｂと照明部８の上面８ｂとに沿って流れるように、空間１２ｃから斜め上方に流出する。空間１２ｃから流出した気流は、天井に向かって移動した後に天井で反射する。天井で反射することによって下方に移動する気流は、床面で反射した後に天井に向かって上方に移動する。さらに、気流は、ファンカバー１０の下方に到達するときに、開口１４から空間１２ｃの内部に流入する。このように、照明器具１において、照明部８の上面８ｂと筐体１２とファンカバー１０とは、第１の流路形成部の一例であって、第２の流路形成部の一例である。
【００３４】
ファンカバー１０には、複数の羽板１０１が取り付けられている。羽板１０１は、開口１４を開閉し、且つ、送風機６０によって開口１４から送出される気流の方向および流量を調整する。あるいは、羽板１０１は、開口１４を開閉することによって、開口１４から空間１２ｃに導入される気流の流量を調整する。
【００３５】
板状の羽板１０１が開口１４を塞ぐことによって、開口１４から空間１２ｃの内部に流入される気流または開口１４から空間１２ｃの外部に流出される気流の流量が調整される。また、ファンカバー１０および水平面に対する羽板１０１の角度が変化することによって、開口１４から空間１２ｃの外部に流出される気流の方向が調整される。羽板１０１は、送風機６０が所定の回転数以上で回転する場合に、気流の流量に応じて、風圧によって開口１４を自動的に開放するように作動する。
【００３６】
図２は、開口１４を開放するファンカバー１０の羽板１０１を概略的に示す縦断面図である。図３は、開口１４を閉塞するファンカバー１０の羽板１０１を概略的に示す縦断面図である。図２に示すように羽板１０１が開口１４を開放する場合には、ファンカバー１０を上方または下方に気流が流れる。一方、図３に示すように羽板１０１が開口１４を閉塞する場合には、開口１４が塞がれることによって、ファンカバー１０の上面と下面との間を上方または下方には気流が流通しない。
【００３７】
図４は、ファンカバー１０に形成された溝１０２を概略的に示すファンカバー１０の縦断面図である。図４に示すように、ファンカバー１０には、溝１０２が形成されている。溝１０２は、ファンカバー１０において空間１２ｃ（図１参照）と面する部分に形成されている。ファンカバー１０において、溝１０２は、開口１４を閉塞した羽板１０１よりも上方に位置する（図３参照）。羽板１０１を含むファンカバー１０は、略円板形状を有している。また、ファンカバー１０において照明部８と接続部９（いずれも図１参照）とに接触する部分としての縁は、略円柱形状を有する。溝１０２は、ファンカバー１０の縁の内周面１０ａの円周方向に沿って延びるように、当該円周方向の全体に形成されている。
【００３８】
なお、溝１０２の形状または大きさは、特に限定されない。例えば、ファンカバー１０において空間１２ｃ（図１参照）と面する部分には、複数の溝が形成されていてもよい。各溝の形状と大きさとは、異なっていてもよく、同一であってもよい。なお、隣り合う二つの溝の間隔は、等間隔であることが好ましい。
【００３９】
図５は、照明器具１の制御関連を示す制御ブロック図である。照明器具１は、マイクロコンピュータと入出力回路等から構成される制御部３を備えている。リモートコントローラ３１が使用者に操作されることによって、リモートコントローラ３１から信号が出力される。受光部３２は、この信号を入力する。受光部３２は、例えば照明器具１（図１参照）の底面に設けられている。照明器具１において受光部３２が設けられる箇所は、例えば、照明部８（図１参照）の下部であってもよく、ファンカバー１０（図１参照）であってもよい。
【００４０】
受光部３２が入力した信号に含まれる情報に基づいて、制御部３は、モータ５と照明部８と羽板１０１とイオン発生器５０とを制御する。制御部３による制御によって、照明部８において、図示しない光源の点灯と消灯とが切り替えられ、且つ、光源の輝度もしくは色調等が調整される。また、制御部３による制御によって、モータ５の駆動および駆動の停止を含むモータ５の回転数が調整される。
【００４１】
なお、モータ５の回転数を制御部３が検知することにより、所定の回転数以上にモータ５の回転数が達する場合に、羽板１０１が開口１４（図１参照）を開放するように、制御部３が羽板１０１を制御してもよい。
【００４２】
図６は、照明器具１の一部断面図であって、室内等の空間を循環する気流を概略的に示す図である。送風機６０においてモータ５の正回転とともに羽根部６が正回転することによって、図６の矢印に示すように、天井付近から空間１２ｃに空気が吸い込まれ、且つ、空間１２ｃから下方に空気が流出する。送風機６０においてモータ５の逆回転とともに羽根部６が逆回転する場合には、送風機６０によって送出される空気は、図示された矢印の逆の方向に移動する。
【００４３】
照明部８の上面８ｂは、照明部８において室内の天井に面する。上面８ｂは、天井に向かって突出する曲面形状を有する。より詳細には、上面８ｂは、天井および空間８ｃに向かって突出する曲面形状を有する。照明部８の縦断面において、上面８ｂは、照明部８の上端８ａから下端まで連続する滑らかな曲線形状を有する。
【００４４】
例えば、上部吸込部として、照明部８の周辺から空間１２ｃに流入される前に空気が流通する流路が略直角に折れ曲がるように形成される場合には、このように急激に進行方向が変更される程度に曲がった部分の縁において流れが滞留する部分が生じる。そのため、空気の流路の面積が減少することによって、風量効率が低下する。
【００４５】
一方、照明部８のように、天井と上面８ｂとの間に形成される流路の面積が次第に拡大するように、上面８ｂが滑らかに湾曲するように流路が形成されることによって、上面８ｂに沿って円滑に空気が流れる。また、空間１２ｃに向かって照明部８の上面８ｂに沿って流れる空気の圧力は、天井と上面８ｂとの間に形成される流路の面積が次第に拡大することによって、次第に減少する傾向を有する。さらに、送風機６０の羽根部６の回転によって、羽根部６の周囲には負圧が生じる。そのため、照明部８と送風機６０との間における圧力差によって、照明部８の上面８ｂに沿って流れる空気は、空間１２ｃを通って送風機６０の羽根部６の周囲まで容易に流れる。このように、照明部８の上面８ｂの形状によれば、風量効率を向上させることができる。
【００４６】
図７は、照明器具１の一部断面図であって、照明器具１における照明部８の上端８ａと照明器具１の上端との間の高さＨと、ローゼット２０の突出高さＴとの和Ｌ、および、吹出口としての開口１４の直径ｄを示す図である。照明器具１においては、高さＨと、ローゼット２０の突出高さＴとの和Ｌが所定の値以上であるように、高さＨと突出高さＴと、直径ｄとが設定される。このように、照明器具１において、照明部８の上端８ａと天井との間には、一定の距離が設けられる。
【００４７】
なお、一定の距離とは、例えば、一般的なシーリングライトの天面（上端面）と天井との間隔よりも大きく、且つ、送風機６０の音が室内の空間に居る人にとって騒音とならない距離までの範囲をいう。
【００４８】
より詳細には、直径ｄと、高さＨと突出高さＴとの和Ｌとの間には、０．１ｄ＜Ｌ＜０．７ｄの関係が成り立つ。
【００４９】
なお、照明器具１の上端とは、頂壁１２ａの上端面の位置に該当する（図１参照）。頂壁１２ａの上端面の位置は、照明器具１が天井に設置される場合にローゼット２０の底面２０ａに略一致する。ローゼット２０の突出高さが極めて零（ゼロ）に近い場合には、照明部８の上端８ａと頂壁１２ａの上端面との間の高さＨが、照明部８の上端８ａから天井までの距離と略一致する。
【００５０】
以上のように、照明器具１は、送風機６０と、光源を含む照明部８とを備える。送風機６０の少なくとも一部は、照明部８の中心部に形成された空間８ｃに配置される。照明器具１には、第１の流路形成部と第２の流路形成部とのいずれか一方が形成されている。第１の流路形成部は、上部吸込部と下部吹出部とを有する。上部吸込部は、送風機６０よりも上方から空間８ｃに空気を導入させる。下部吹出部は、送風機６０の下方に配置され、且つ、空間８ｃの外部に空気を導出させる。
【００５１】
第２の流路形成部は、下部吸込部と上部吹出部とを有する。下部吸込部は、送風機６０の下方に配置され、且つ、空間８ｃに空気を導入させる。上部吹出部は、送風機６０よりも上方に空間８ｃから空気を導出させる。
【００５２】
照明器具１においては、送風機６０の少なくとも一部が、照明部８の中心部に形成された空間８ｃに配置される。このように、照明器具１においては、送風機６０を照明器具１にコンパクトに配置することができる。
【００５３】
また、照明器具１においては、送風機６０の作動によって発生する気流を、第１の流路形成部における上部吸込部と下部吹出部とによって、または、第２の流路形成部における下部吸込部と上部吹出部とによって、略鉛直方向に移動させることができる。室内等の空間において略鉛直方向に移動する気流は、天井と床面との間を循環することができる。このように、照明器具１は、室内等の空間の全体を循環する気流を発生させることが可能である。
【００５４】
このようにすることにより、送風機６０をコンパクトに配置することが可能であるとともに、室内等の空間の全体を循環する気流を発生させることが可能な照明器具１を提供することができる。
【００５５】
照明器具１は、室内の天井に設けられたローゼット２０を介して天井に設置される。照明部８の上端８ａと照明器具１の上端との間の高さＨと、天井から突出するローゼット２０の突出高さＴとの和Ｌは、所定の値以上である。
【００５６】
この構成によれば、必要十分な風量効率を得ることが可能な程度に、第１の流路形成部または第２の流路形成部において空気の吸込量を稼ぐことができる。つまり、この構成によれば、照明器具１は、第１の流路形成部における上部吸込部から、室内の全体において十分なサーキュレーション効果を得るために必要な流量の空気を効率的に吸い込むことができる。あるいは、本発明に従った照明器具は、第２の流路形成部における上部吹出部から、室内の全体において十分なサーキュレーション効果を得るために必要な流量の空気を効率的に吹き出すことができるため、下部吸込部から円滑に空気を吸い込むことができる。
【００５７】
照明器具１において、第１の流路形成部の下部吹出部は、空間８ｃに連続し且つ空間８ｃの下方に位置する吹出口としての開口１４を有する。開口１４の直径ｄと、高さＨと突出高さＴとの和Ｌとの間には、０．１ｄ＜Ｌ＜０．７ｄの関係が成り立つ。
【００５８】
この構成によれば、必要十分な風量効率を得ることができる。
【００５９】
照明器具１は、ファンカバー１０を備える。ファンカバー１０は、下部吹出部または下部吸込部を形成する。ファンカバー１０には、吹出口としての開口１４が形成され、且つ、羽板１０１が取り付けられている。羽板１０１は、開口１４を開閉し且つ送風機６０によって開口１４から送出される気流の方向および流量を調整する。
【００６０】
この構成によれば、送風機６０によって送出される気流の方向および流量が調整されることによって、室内等の空間の全体に気流を行き渡らせることができるとともに、室内の人もしくは物等に気流が直接当たることを防ぐことができる。
【００６１】
照明器具１において、羽板１０１は、送風機６０が所定の回転数以上で回転する場合に、吹出口としての開口１４を開放するように作動する。
【００６２】
この構成によれば、送風機６０が作動しない場合等、送風機６０が所定の回転数よりも低い回転速度で回転する場合には、羽板１０１が開口１４を閉じることによって、羽板１０１を含むファンカバー１０で送風機６０を隠すことができる。そのため、照明器具１の見栄えを良くすることができる。
【００６３】
また、例えば、送風機６０が長期間作動していない状態から、送風機６０の作動が再開される場合等には、送風機６０が比較的低速で回転する間に、送風機６０および送風機６０の周囲に堆積した塵埃をファンカバー１０で捕捉することができる。羽板１０１が開口１４を開放している場合に、使用者が羽板１０１を清掃することによって、羽板１０１を含むファンカバー１０に付着した塵埃を、羽板１０１から取り除くことができる。このように、この構成によれば、室内等の空間に塵埃が飛び散ることを防ぐことができる。
【００６４】
ファンカバー１０において空間８ｃと面する部分には、溝１０２が形成されている。この構成によれば、送風機６０および送風機６０の周囲に堆積した塵埃が、送風機６０の回転によって飛散する場合等に、これらの塵埃を溝１０２で捕捉することができる。そのため、室内等の空間に塵埃が飛散することを防ぐことができる。また、塵埃が溝１０２に集められるため、照明器具１を容易に清掃することができる。
【００６５】
照明器具１において、照明部８は、照明部８において室内の天井に面する上面８ｂを有する。照明部８の上面８ｂは、天井に向かって突出する曲面形状を有する。
【００６６】
この構成によれば、空気を吸い込む際に照明部８の周辺の空間と送風機６０との間に圧力差を照明部８が生じさせることによって送風機６０の側が負圧になるため、照明部８の周辺の空間から多くの空気を送風機６０の側に吸引することができる。すなわち、風量効率を向上させることができる。また、照明部８の上面８ｂに塵埃が堆積しにくくすることができるとともに、ファンカバー１０に塵埃を容易に集めることができる。
【００６７】
照明器具１は、空間８ｃにイオンを放出させるイオン発生器５０を備える。
【００６８】
この構成によれば、送風機６０よって送出される気流に、イオン発生器５０から放出されるイオンを効率よく含ませることができる。
【００６９】
なお、空間１２ｃに配置されるイオン発生器５０の数は、特に限定されない。また、イオン発生器５０の配置については、空間１２ｃにイオン発生器５０が配置されていればよい。複数のイオン発生器５０の配置について、隣り合う二つのイオン発生器５０は、空間１２ｃにおいて、等間隔であることが好ましい。なお、筐体１２の外部にイオン発生器５０が配置されるとしても、照明部８の上方であって、床面から真正面に照明器具１を見る人からイオン発生器５０が見えないような位置に、イオン発生器５０が配置されることが好ましい。
【００７０】
なお、イオン発生器５０が発生させるイオンの例は、正イオンと負イオンとである。しかしながら、イオンの例は、特に限定されない。例えば、正イオンと負イオンとのイオン種を特定せずにイオンが発生する場合には、イオンが有する電荷によって、室内等の空間に浮遊する付着対象である物体の電位を除去すること、または、室内等の空間のイオンバランスを調整することができる。イオン発生器５０は、例えばラジカル成分を含む帯電微粒子水を生成する機器であってもよい。
【００７１】
照明部８が有する光源は、ランプまたは蛍光灯であってもよく、エレクトロルミネッセンスであってもよい。
【００７２】
モータ５および軸５ａは、正回転のみが可能であるように構成されていてもよい。この場合には、照明器具１において第２の流路形成部が形成されず、照明部８の上面８ｂと筐体１２とファンカバー１０とが第１の流路形成部の一例に含まれる。
【００７３】
なお、カバー部材としてのファンカバー１０は、筐体１２の一部であってもよい。ファンカバー１０が筐体１２の吊部１１の下部である接続部９に取り付けられることにより、筐体１２の底部がファンカバー１０によって形成される。
【００７４】
なお、本発明の別の一つの局面に従った照明器具は、送風機と照明部と筐体とを備える。照明部は、光源を含む。筐体は、送風機を収容する空間を有し、且つ、照明部を支持する。送風機の少なくとも一部は、筐体の内部の空間において、照明部の中心部に形成された空間に配置される。当該照明器具には、第１の流路形成部と第２の流路形成部とのいずれか一方が形成されている。第１の流路形成部は、上部吸込部と下部吹出部とを有する。上部吸込部は、送風機よりも上方から筐体の空間に空気を導入させる。下部吹出部は、送風機の下方に配置され、且つ、筐体の空間の外部に空気を導出させる。第２の流路形成部は、下部吸込部と上部吹出部とを有する。下部吸込部は、送風機の下方に配置され、且つ、筐体の空間に空気を導入させる。上部吹出部は、送風機よりも上方に筐体の空間から空気を導出させる。
【実施例】
【００７５】
以下においては、本発明の実施例を具体的に説明する。なお、以下に示す実施例は一例であって、本発明は下記の実施例に限定されるものではない。
【００７６】
実施例においては、上述した照明器具１を用いて、照明器具１における送風機６０の羽根部６を正回転させる場合に発生する気流による照明器具１の風量効率、および、照明器具１の騒音について確認した。実施例においては、送風機６０の羽根部６の直径を３２０ｍｍとした。また、吹出口としての開口１４の直径ｄについては、ファンカバー１０の縁の寸法を無視することによって、照明部８の中心部の下端の開口の直径を、ファンカバー１０の開口１４の直径ｄと見なした。開口１４の直径ｄとして、照明部８の中心部の下端の開口の直径を３５０ｍｍとした。
【００７７】
（実験例１）
実験例１においては、照明器具１の風量効率について確認した。
図８は、実施例１において得られるデータを示すグラフである。図８に示すグラフは、照明器具１における照明部８の上端８ａと照明器具１の上端との間の高さＨ（いずれも図７参照）と、ローゼット２０の突出高さＴ（いずれも図７参照）との和Ｌと、空気の吸込量に対する吹出量によって表される風量効率との関係を示す。なお、以下においては、高さＨと突出高さＴとの和Ｌを、天井から照明部８の上端８ａまでの距離Ｌという。
【００７８】
図８は、距離Ｌに応じて、吸込量（照明部８よりも上方から空間８ｃに吸い込まれる空気の流量）に対する吹出量（開口１４（図７参照）を通って空間８ｃから吹き出される空気の流量）の比を風量効率としてプロットしたグラフである。当該グラフの縦軸は風量効率（％）を示し、横軸は距離Ｌ（ｍｍ）を示す。
【００７９】
図８に示すように、風量効率は、距離Ｌが０．１ｄから０．７ｄ、つまり、３５ｍｍから２４５ｍｍであるときに急激に上昇した。ところが、距離Ｌが０．７ｄ以上、つまり、２４５ｍｍ以上であるときには、風量効率が略飽和した。
【００８０】
以上のように、実験例１によれば、距離Ｌが０．１ｄから０．７ｄとなるように、照明器具１において高さＨと突出高さＴと直径ｄとを設定する場合に、高い風量効率を得ることができることが確認された。
【００８１】
（実験例２）
実験例２においては、照明器具１の騒音について確認した。
図９は、実施例２において得られるデータを示すグラフである。図９に示すグラフは、距離Ｌと、送風機が発生させる騒音との関係を示す。騒音Ａは、照明器具１の１００ｍｍ下方の位置において測定した騒音の値（ｄＢ）である。
【００８２】
一方、騒音Ｂは、照明器具１が設置された実験対象の室内空間にいる観察者が、照明器具１が観察者に近づくにつれて感じる騒音の値（ｄＢ）を、距離Ｌに応じてプロットしたものである。観察者の身長は約１７０ｃｍ（参考：４０歳から４９歳の日本人男性の平均身長  厚生労働省平成２２年度国民健康・栄養調査報告）であった。また、観察者が入った室内の床面から天井までの高さは、２４０ｃｍであった。なお、観察者が感じた騒音の程度とは、観察者の耳付近にあたる場所にマイクを設置し、マイクを用いて騒音を測定することによって得た値である。
【００８３】
図９に示すように、距離Ｌが増加するに従って（照明部８の上端８ａ（図７参照）の位置が天井から下方に離れるに従って）、騒音Ａが減少することがわかる。つまり、騒音Ａの大部分は、空間１２ｃに吸い込まれる気流によって生じる音に占められる。距離Ｌ＝０であるときに、騒音Ａの値は６８．０ｄＢであった。距離Ｌ＝０．７ｄ（つまり、２４５ｍｍ）であるときには、騒音Ａの値が４０.５ｄＢであった。
【００８４】
騒音Ｂは、距離Ｌ＝０からしばらくは、騒音Ａと同様に減少した。騒音Ｂがこのように減少する過程においては、騒音Ｂの大部分が、空間１２ｃに吸い込まれる気流によって生じる音に占められる。一方、距離Ｌ≒０．４ｄを境に、いったん減少した騒音の値が増加に転じた。すなわち、照明器具１が観察者に近づくことによって、距離Ｌ≒０．４ｄを境に、空間１２ｃに吸い込まれる気流によって生じる音による騒音が騒音Ｂの大部分を占める状態から、送風機６０の作動の音による騒音が騒音Ｂの大部分を占める状態に切り替えられた。
【００８５】
以上のように、実験例２によれば、距離Ｌが０．７ｄ以下となるように、照明器具１において高さＨと突出高さＴと直径ｄとを設定する場合に、騒音の抑制が可能であることが確認された。
【００８６】
このようにして、吹出口としての開口１４の直径ｄと、高さＨと突出高さＴとの和Ｌ（つまり、天井から照明部８の上端８ａまでの距離Ｌ）との間に、０．１ｄ＜Ｌ＜０．７ｄの関係が成り立つように、高さＨと突出高さＴと直径ｄとを設定することによって、高い風量効率を得ることができるとともに、騒音の抑制が可能であることが確認された。
【００８７】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【００８８】
１：照明器具、８：照明部、８ａ：上端、８ｂ：上面、１０：ファンカバー、１２：筐体、１２ａ：頂壁、１３：開口、１４：開口、２０：ローゼット、５０：イオン発生器、６０：送風機、１０１：羽根、１０２：溝
【図１】
0006279126.tif 000002
【図２】
0006279126.tif 000003
【図３】
0006279126.tif 000004
【図４】
0006279126.tif 000005
【図５】
0006279126.tif 000006
【図６】
0006279126.tif 000007
【図７】
0006279126.tif 000008
【図８】
0006279126.tif 000009
【図９】
0006279126.tif 000010